(57)【要約】【課題】遠隔地のユーザによる育成対象の育成を可能にする。【解決手段】サービス管理システム３は、野菜を栽培するための区画と、この区画を借りているユーザと、この区画で野菜を栽培するための作業を実際に行う農家と、を対応付けて登録する農地管理ＤＢを備え、ユーザによって操作されるユーザ端末２と、サービス管理システム３と、農家によって操作される農家端末４と、にネットワーク６を介して接続されている。サービス管理サーバ３は、ユーザと、ユーザが借りている区画と、ユーザが依頼する農作業と、を特定可能な作業依頼をユーザ端末２から受信したことに応答して、作業依頼から特定される区画に対応する農家を農地管理ＤＢから特定する。そして、サービス管理サーバ３は、農地管理ＤＢから特定した農家の農家端末４にネットワーク６を介して、作業依頼から特定される区画で栽培されている野菜に、作業依頼から特定される農作業を行うことを依頼する。【選択図】図１
2018029617.tif 000002
【特許請求の範囲】
【請求項１】
育成対象を育成するための区画と、該区画を借りているユーザと、該区画で該育成対象を育成するための作業を実際に行う育成者と、を対応付けて登録するデータベースを備え、
前記ユーザによって操作されるユーザ端末と、前記育成者によって操作される育成者端末と、にネットワークを介して接続された
サーバ装置であって、
前記ユーザと、
該ユーザが借りている前記区画と、
該ユーザが依頼する作業と、
を特定可能な作業依頼を前記ユーザ端末から受信したことに応答して、
前記作業依頼から特定される前記区画に対応する前記育成者を前記データベースから特定する
第１育成者特定手段と、
前記第１育成者特定手段によって特定した前記育成者の前記育成者端末に前記ネットワークを介して、
前記作業依頼から特定される前記区画で育成されている前記育成対象に、
該作業依頼から特定される前記作業を行うことを依頼する
作業依頼手段と、
を備えるサーバ装置。
【請求項２】
前記ユーザが借りている前記区画を特定可能な育成場を
前記ユーザ端末に表示する
育成場表示手段と、
前記ユーザが
前記ユーザ端末に表示される前記育成場の前記区画のうちから選択した該区画で育成している前記育成対象に対応する作業を、該ユーザ端末に選択可能に表示する
作業選択表示手段と、
をさらに備え、
前記第１育成者特定手段は、
前記ユーザが前記育成場で選択した前記区画と、
前記ユーザ端末に表示される前記作業のうちから選択した該作業と、
を特定可能な前記作業依頼を前記ユーザ端末から受信する、
ことを特徴とする請求項１に記載のサーバ装置。
【請求項３】
前記育成者が前記作業依頼手段によって依頼された前記作業を行った後の前記育成対象の育成記録を前記育成者端末から受信する育成記録受信手段と、
前記ユーザが前記ユーザ端末に表示される前記育成場の前記区画のうちから選択した該区画で育成している前記育成対象の前記育成記録を、該ユーザ端末に表示する育成記録表示手段と、
をさらに備える請求項２に記載のサーバ装置。
【請求項４】
前記ユーザが前記育成記録を用いて作成した育成日誌を記憶する育成日誌記憶手段と、
前記育成日誌を前記ユーザ以外に公開するか否かを設定する公開設定手段と、
をさらに備える請求項３に記載のサーバ装置。
【請求項５】
前記ユーザが借りることができる前記区画を前記ユーザ端末に選択可能に表示する区画選択表示手段と、
前記ユーザが前記ユーザ端末に表示される前記区画のうちから選択した該区画を、該ユーザに対応付けて前記データベースに登録する区画登録手段と、
をさらに備える請求項１乃至４のいずれか１項に記載のサーバ装置。
【請求項６】
前記ユーザと、該ユーザが借りている区画と、該区画で育成されている前記育成対象と、該育成対象の配送先と、を特定可能な配送依頼を前記ユーザ端末から受信したことに応答して、該配送依頼から特定される該区画に対応する前記育成者を前記データベースから特定する第２育成者特定手段と、
前記第２育成者特定手段によって特定した前記育成者の前記育成者端末に、前記配送依頼から特定される前記区画で育成されている前記育成対象の前記配送先への配送の準備を依頼する配送準備依頼手段と、
をさらに備える請求項１乃至５のいずれか１項に記載のサーバ装置。
【請求項７】
ユーザによって操作されるユーザ端末と、
育成対象を育成するための区画と、
該区画を借りている前記ユーザと、
該区画で該育成対象を育成するための作業を実際に行う育成者と、を対応付けて登録する
データベースを備え、
前記ユーザ端末と、前記育成者によって操作される育成者端末と、にネットワークを介して接続された
サーバ装置と、
を具備する作業依頼システムであって、
前記ユーザ端末は、
前記ユーザと、
該ユーザが借りている前記区画と、
該ユーザが依頼する作業と、
を特定可能な作業依頼を前記ネットワークを介して前記サーバ装置に送信し、
前記サーバ装置は、
前記ユーザ端末から受信したことに応答して、
前記作業依頼から特定される前記区画に対応する前記育成者を前記データベースから特定する
第１育成者特定手段と、
前記第１育成者特定手段によって特定した前記育成者の前記育成者端末に前記ネットワークを介して、
前記作業依頼から特定される前記区画で育成されている前記育成対象に、
該作業依頼から特定される前記作業を行うことを依頼する
作業依頼手段と、
を備える作業依頼システム。
【請求項８】
育成対象を育成するための区画と、該区画を借りているユーザと、該区画で該育成対象を育成するための作業を実際に行う育成者と、を対応付けて登録するデータベースを備え、前記ユーザによって操作されるユーザ端末と、前記育成者によって操作される育成者端末と、にネットワークを介して接続されたサーバ装置による作業依頼方法であって、
前記ユーザと、該ユーザが借りている前記区画と、該ユーザが依頼する作業と、を特定可能な作業依頼を前記ユーザ端末から受信したことに応答して、前記作業依頼から特定される前記区画に対応する前記育成者を前記データベースから特定する第１育成者特定ステップと、
前記第１育成者特定手段によって特定した前記育成者の前記育成者端末に前記ネットワークを介して、前記作業依頼から特定される前記区画で育成されている前記育成対象に、該作業依頼から特定される前記作業を行うことを依頼する作業依頼ステップと、
を備える作業依頼方法。
【請求項９】
育成対象を育成するための区画と、該区画を借りているユーザと、該区画で該育成対象を育成するための作業を実際に行う育成者と、を対応付けて登録するデータベースを備え、前記ユーザによって操作されるユーザ端末と、前記育成者によって操作される育成者端末と、にネットワークを介して接続されたサーバ装置が備えるコンピュータに、
前記ユーザと、該ユーザが借りている前記区画と、該ユーザが依頼する作業と、を特定可能な作業依頼を前記ユーザ端末から受信したことに応答して、前記作業依頼から特定される前記区画に対応する前記育成者を前記データベースから特定する第１育成者特定手順と、
前記第１育成者特定手段によって特定した前記育成者の前記育成者端末に前記ネットワークを介して、前記作業依頼から特定される前記区画で育成されている前記育成対象に、該作業依頼から特定される前記作業を行うことを依頼する作業依頼手順と、
を実行させるためのプログラム。
【発明の詳細な説明】
【技術分野】
【０００１】
本発明は、サーバ装置、作業依頼システム、作業依頼方法、及びプログラムに関し、特に、遠隔地のユーザによる育成対象の育成を可能にするサーバ装置、作業依頼システム、作業依頼方法、及びプログラムに関する。
【背景技術】
【０００２】
近年、都会で生活する人が、郊外の農地を借りて野菜等の農作物を栽培することが小さなブームとなっている（例えば特許文献１参照）。
【先行技術文献】
【特許文献】
【０００３】
【特許文献１】特開２０１３−１５６９０２号公報
【発明の概要】
【発明が解決しようとする課題】
【０００４】
しかしながら、都会で生活する人が、休日を利用して農地に赴き、農作業するだけで、野菜を栽培することは現実的に困難であった。このため、挫折する人が後を絶たない。結局、特許文献１に記載するように、野菜を栽培するためには、都会での生活を捨て、農地の近くに引っ越さなければならなかった。
【０００５】
本発明は、上記の課題を解決するためになされたものであって、遠隔地のユーザによる育成対象の育成を可能にするサーバ装置、作業依頼システム、作業依頼方法、及びプログラムを提供することを目的とする。
【課題を解決するための手段】
【０００６】
上記の目的を達成するため、本発明の第１の観点に係るサーバ装置は、
育成対象を育成するための区画と、該区画を借りているユーザと、該区画で該育成対象を育成するための作業を実際に行う育成者と、を対応付けて登録するデータベースを備え、前記ユーザによって操作されるユーザ端末と、前記育成者によって操作される育成者端末と、にネットワークを介して接続されたサーバ装置であって、
前記ユーザと、該ユーザが借りている前記区画と、該ユーザが依頼する作業と、を特定可能な作業依頼を前記ユーザ端末から受信したことに応答して、前記作業依頼から特定される前記区画に対応する前記育成者を前記データベースから特定する第１育成者特定手段と、
前記第１育成者特定手段によって特定した前記育成者の前記育成者端末に前記ネットワークを介して、前記作業依頼から特定される前記区画で育成されている前記育成対象に、該作業依頼から特定される前記作業を行うことを依頼する作業依頼手段と、
を備える。
【０００７】
上記のサーバ装置は、
前記ユーザが借りている前記区画を特定可能な育成場を前記ユーザ端末に表示する育成場表示手段と、
前記ユーザが前記ユーザ端末に表示される前記育成場の前記区画のうちから選択した該区画で育成している前記育成対象に対応する作業を、該ユーザ端末に選択可能に表示する作業選択表示手段と、
をさらに備え、
前記第１育成者特定手段は、前記ユーザが前記育成場で選択した前記区画と、前記ユーザ端末に表示される前記作業のうちから選択した該作業と、を特定可能な前記作業依頼を前記ユーザ端末から受信する、
ものであってもよい。
【０００８】
上記のサーバ装置は、
前記育成者が前記作業依頼手段によって依頼された前記作業を行った後の前記育成対象の育成記録を前記育成者端末から受信する育成記録受信手段と、
前記ユーザが前記ユーザ端末に表示される前記育成場の前記区画のうちから選択した該区画で育成している前記育成対象の前記育成記録を、該ユーザ端末に表示する育成記録表示手段と、
をさらに備えてもよい。
【０００９】
上記のサーバ装置は、
前記ユーザが前記育成記録を用いて作成した育成日誌を記憶する育成日誌記憶手段と、
前記育成日誌を前記ユーザ以外に公開するか否かを設定する公開設定手段と、
をさらに備えてもよい。
【００１０】
上記のサーバ装置は、
前記ユーザが借りることができる前記区画を前記ユーザ端末に選択可能に表示する区画選択表示手段と、
前記ユーザが前記ユーザ端末に表示される前記区画のうちから選択した該区画を、該ユーザに対応付けて前記データベースに登録する区画登録手段と、
をさらに備えてもよい。
【００１１】
上記のサーバ装置は、
前記ユーザと、該ユーザが借りている区画と、該区画で育成されている前記育成対象と、該育成対象の配送先と、を特定可能な配送依頼を前記ユーザ端末から受信したことに応答して、該配送依頼から特定される該区画に対応する前記育成者を前記データベースから特定する第２育成者特定手段と、
前記第２育成者特定手段によって特定した前記育成者の前記育成者端末に、前記配送依頼から特定される前記区画で育成されている前記育成対象の前記配送先への配送の準備を依頼する配送準備依頼手段と、
をさらに備えてもよい。
【００１２】
上記の目的を達成するため、本発明の第２の観点に係る作業依頼システムは、
ユーザによって操作されるユーザ端末と、
育成対象を育成するための区画と、該区画を借りている前記ユーザと、該区画で該育成対象を育成するための作業を実際に行う育成者と、を対応付けて登録するデータベースを備え、前記ユーザ端末と、前記育成者によって操作される育成者端末と、にネットワークを介して接続されたサーバ装置と、
を具備する作業依頼システムであって、
前記ユーザ端末は、前記ユーザと、該ユーザが借りている前記区画と、該ユーザが依頼する作業と、を特定可能な作業依頼を前記ネットワークを介して前記サーバ装置に送信し、
前記サーバ装置は、
前記ユーザ端末から受信したことに応答して、前記作業依頼から特定される前記区画に対応する前記育成者を前記データベースから特定する第１育成者特定手段と、
前記第１育成者特定手段によって特定した前記育成者の前記育成者端末に前記ネットワークを介して、前記作業依頼から特定される前記区画で育成されている前記育成対象に、該作業依頼から特定される前記作業を行うことを依頼する作業依頼手段と、
を備える。
【００１３】
上記の目的を達成するため、本発明の第３の観点に係る作業依頼方法は、
育成対象を育成するための区画と、該区画を借りているユーザと、該区画で該育成対象を育成するための作業を実際に行う育成者と、を対応付けて登録するデータベースを備え、前記ユーザによって操作されるユーザ端末と、前記育成者によって操作される育成者端末と、にネットワークを介して接続されたサーバ装置による作業依頼方法であって、
前記ユーザと、該ユーザが借りている前記区画と、該ユーザが依頼する作業と、を特定可能な作業依頼を前記ユーザ端末から受信したことに応答して、前記作業依頼から特定される前記区画に対応する前記育成者を前記データベースから特定する第１育成者特定ステップと、
前記第１育成者特定手段によって特定した前記育成者の前記育成者端末に前記ネットワークを介して、前記作業依頼から特定される前記区画で育成されている前記育成対象に、該作業依頼から特定される前記作業を行うことを依頼する作業依頼ステップと、
を備える。
【００１４】
上記の目的を達成するため、本発明の第４の観点に係るプログラムは、
育成対象を育成するための区画と、該区画を借りているユーザと、該区画で該育成対象を育成するための作業を実際に行う育成者と、を対応付けて登録するデータベースを備え、前記ユーザによって操作されるユーザ端末と、前記育成者によって操作される育成者端末と、にネットワークを介して接続されたサーバ装置が備えるコンピュータに、
前記ユーザと、該ユーザが借りている前記区画と、該ユーザが依頼する作業と、を特定可能な作業依頼を前記ユーザ端末から受信したことに応答して、前記作業依頼から特定される前記区画に対応する前記育成者を前記データベースから特定する第１育成者特定手順と、
前記第１育成者特定手段によって特定した前記育成者の前記育成者端末に前記ネットワークを介して、前記作業依頼から特定される前記区画で育成されている前記育成対象に、該作業依頼から特定される前記作業を行うことを依頼する作業依頼手順と、
を実行させる。
【発明の効果】
【００１５】
本発明によれば、遠隔地のユーザによる育成対象の育成を可能にするサーバ装置、作業依頼システム、作業依頼方法、及びプログラムを提供することができる。
【図面の簡単な説明】
【００１６】
【図１】本実施形態に係る遠隔地栽培システムの構成例を示すシステム構成図である。
【図２】ユーザ端末の構成例を示す機能ブロック図である。
【図３】トップ画面の表示例を示す図である。
【図４】（ａ）は、課金選択画面の表示例を示す図であり、（ｂ）は、確認画面の表示例を示す図であり、（ｃ）は、購入完了画面の表示例を示す図である。
【図５】サイドメニュの表示例を示す図である。
【図６】（ａ）は、農地検索画面の表示例を示す図であり、（ｂ）は、区画一覧画面の表示例を示す図であり、（ｃ）は、区画契約画面の表示例を示す図である。
【図７】（ａ）は、栽培図鑑画面の表示例を示す図であり、（ｂ）は、作物詳細画面の表示例を示す図である。
【図８】栽培ノウハウ画面の表示例を示す図である。
【図９】栽培計画画面の表示例を示す図である。
【図１０】（ａ）は、栽培日誌一覧画面の表示例を示す図であり、（ｂ）は、画像選択画面の表示例を示す図であり、（ｃ）は、栽培日誌作成画面の表示例を示す図である。
【図１１】ユーザ検索画面の表示例を示す図である。
【図１２】依頼作業選択画面の表示例を示す図である。
【図１３】栽培記録画面の表示例を示す図である。
【図１４】サービス管理サーバの構成例を示す機能ブロック図である。
【図１５】農家端末の構成例を示す機能ブロック図である。
【図１６】新規農地契約処理の一例を示すフローチャートである。
【図１７】新規農地契約処理の一例を示すフローチャートである。
【図１８】作業依頼処理の一例を示すフローチャートである。
【図１９】作業依頼処理の一例を示すフローチャートである。
【図２０】栽培日誌作成処理の一例を示すフローチャートである。
【図２１】配送依頼処理の一例を示すフローチャートである。
【発明を実施するための形態】
【００１７】
以下、本発明を実施するための形態について説明する。
【００１８】
まず、本発明の実施形態に係る遠隔地栽培システムの構成例を図面を参照しつつ説明する。
【００１９】
図１は、遠隔地栽培システムの構成例を示すシステム構成図である。
【００２０】
遠隔地栽培システム１は、遠隔地のユーザが農家から農地の区画を借りて野菜等の農作物の栽培等を行うことができるようにするもので、図１に示すように、ユーザ端末２と、サービス管理サーバ３と、農家端末４と、配送サーバ５と、から概略構成されている。ユーザ端末２とサービス管理サーバ３と農家端末４と配送サーバ５とは、インターネット等のネットワーク６を介して相互に通信可能に接続されている。
【００２１】
ユーザ端末２は、例えば汎用のタブレットコンピュータやスマートフォン等から構成され、遠隔地のユーザが農家から農地の区画を借りたり、その農家に農作業や野菜の配送を依頼したりするために用いられる。なお、ユーザ端末２は、汎用のパーソナルコンピュータから構成されてもよい。
【００２２】
図２は、ユーザ端末の構成例を示す機能ブロック図である。
【００２３】
ユーザ端末２は、図２に示すように、記憶部２１と、タッチパネル２２と、通信部２３と、制御部２４と、を備え、バスを介して相互に接続されている。
【００２４】
記憶部２１は、例えばフラッシュメモリ等の汎用の不揮発性メモリから構成され、インストールされた各種アプリケーションプログラムを記憶している。本実施形態において、記憶部２１には、遠隔地のユーザが農家から農地の区画を借りたり、その農家に農作業や野菜の配送を依頼したりして、ユーザ端末２を介して野菜を栽培するための仮想農地アプリが記憶されている。
【００２５】
タッチパネル２２は、例えば液晶表示装置とポインティングデバイスとを組み合わせた汎用のタッチパネル等から構成され、制御部２４による制御に従って、各種画面を表示するとともに、ユーザによる各種操作を受け付ける。
【００２６】
通信部２３は、例えば汎用の無線通信機器等から構成され、ユーザがタッチパネル２２で入力した指示や情報等をネットワーク６を介してサービス管理サーバ３等に無線送信する。また、通信部２３は、サービス管理サーバ３等からネットワーク６を介して無線送信される指示や情報等を受信する。
【００２７】
制御部２４は、例えばＣＰＵ（Central Processing Unit）、ＲＯＭ（Read Only Memory）、及びＲＡＭ（Random Access Memory）等を含む汎用のマイクロコンピュータ等から構成され、ＣＰＵが、ＲＡＭをワークメモリとして用い、ＲＯＭや記憶部２１等に記憶されている各種プログラムを適宜実行することによって、ユーザ端末２の各部の動作を制御する。
【００２８】
本実施形態において、制御部２４は、記憶部２１に記憶されている仮想農地アプリを実行し、通信部２３からネットワーク６を介してサービス管理サーバ３にアクセスすることによって、以下の処理を実行する。
【００２９】
具体的に、制御部２４は、仮想農地アプリの初回起動時に、図示せぬ利用規約画面、ユーザ登録画面、アバタ設定画面、及びチュートリアル等をタッチパネル２２に表示する。ユーザは、タッチパネル２２を操作して、ユーザ登録画面で仮想農地名及びニックネーム等のプロフィールを登録したり、アバタ設定画面でアバタを設定したりすることができる。
【００３０】
その後、制御部２４は、ユーザの仮想農地を示すトップ画面３００をタッチパネル２２に表示する。
【００３１】
図３は、トップ画面の表示例を示す図である。
【００３２】
トップ画面３００には、図３に示すように、アバタ３１０、キャラクタ３２０、ポイント数３３０並びにコイン数３４０、設置アイテム３５０、区画３６０、及び区画情報３７０等が表示される。
【００３３】
アバタ３１０は、仮想農地におけるユーザの分身を示すものである。制御部２４は、ユーザがアバタ３１０をタップしたことに応答して、アバタ設定画面を表示する。アバタ設定画面において、ユーザは、タッチパネル２２を操作して、アバタ３１０の服装等をカスタマイズすることができる。また、制御部２４は、仮想農地で栽培している野菜の状況に応じて、例えば、「もうすぐ発芽の時期ですよ」等のアバタ３１０によるつぶやきを表示する。
【００３４】
キャラクタ３２０は、その種類毎に異なる特性を有し、本実施形態において、ユーザは、キャラクタ３２０をタップして退治するミニゲームを行うことができる。
【００３５】
ポイント数３３０は、ユーザが有するポイント数を示すものである。ユーザは、ポイントを用いて、仮想ショップでアバタ３１０の着替アイテムや、仮想農地の設置アイテム３５０等を購入することができる。ポイント数３３０は、ユーザがミニゲームでキャラクタ３２０を退治する毎に、そのキャラクタ３２０の種類に応じて加算される。なお、ポイント数３３０は、サービス管理サーバ３へのログイン時にボーナスとして加算されるものであってもよいし、緊急メンテナンス時に保証として加算されるものであってもよい。また、ポイント数３３０は、ユーザのトップ画面３００に他のユーザが訪問する毎に加算されるものであってもよい。
【００３６】
コイン数３４０は、ユーザが有するコイン数を示すものである。ユーザは、ポイントを用いて、農家から農地の区画を借りたり、その農家に農作業や野菜の配送を依頼したりすることができる。
【００３７】
設置アイテム３５０は、ユーザの仮想農地をカスタマイズするためのものである。
【００３８】
区画３６０は、ユーザが農家から借りている農地の区画を示すものである。制御部２４は、トップ画面３００に区画３６０をユーザが農家から借りている数だけ表示する。区画３６０の表示は、実際の農地の区画での状態に連動して変化する。なお、ユーザは、異なる地域の異なる農地の区画を複数借りることも、異なる野菜を栽培する区画を複数借りることもでき、この場合、同一の仮想農地に、異なる地域の異なる農地の区画３６０や異なる野菜を栽培する区画が表示される。制御部２４は、ユーザがトップ画面３００に表示されている区画３６０のうちのいずれかをタップすると、区画情報３７０が表示される。
【００３９】
区画情報３７０は、ユーザが農地から借りている区画に関する情報を示すものである。区画情報３７０には、その区画で栽培されている野菜の種類や、栽培工程、野菜の状態、その区画を所有する農地、農地の所在する都道府県名、及び天候等が含まれている。
【００４０】
また、トップ画面３００には、図３に示すように、ユーザによって選択可能な各種アイコンが表示される。本実施形態において、トップ画面３００の上方には、右側に課金アイコン３８０が表示され、左側にメニュアイコン３８１が表示されている。また、メニュアイコン３８１の下側には、おでかけアイコン３８２が表示されている。さらに、トップ画面３００の下方には、左側から順に、栽培計画アイコン３８３と、作業依頼アイコン３８４と、栽培記録アイコン３８５と、栽培日記アイコン３８６と、が表示されている。
【００４１】
その他、トップ画面３００には、ユーザに付与されたランクや称号等が表示されてもよい。ランクや称号は、野菜を収穫したときに付与される収穫ポイントの合計値や、野菜の収穫回数、農地の放置期間、農作業の頻度、品評会への出展回数及びそこでの評価等から決定されればよい。
【００４２】
課金アイコン３８０は、ユーザがコインを購入するために選択されるものである。制御部２４は、ユーザがトップ画面３００で課金アイコン３８０をタップしたことに応答して、課金選択画面４００をタッチパネル２２に表示する。
【００４３】
図４（ａ）は、課金選択画面の表示例を示す図であり、図４（ｂ）は、確認画面の表示例を示す図であり、図４（ｃ）は、購入完了画面の表示例を示す図である。
【００４４】
図４（ａ）に示す課金選択画面４００において、ユーザが購入するコイン数又は毎月所定コイン数の継続購入を選択し、「コインを購入する」をタップしたことに応答して、制御部２４は、図４（ｂ）に示す確認画面４１０をタッチパネル２２に表示する。
【００４５】
図４（ｂ）に示す確認画面４１０において、ユーザがクレジットカードで決済を行う「クレジット決済」とコンビニエンスストアで決済を行う「コンビニ決済」とのいずれかを選択し、「購入する（外部サイト）」をタップしたことに応答して、制御部２４は、ユーザが購入するコイン数を特定可能な購入依頼を通信部２３からネットワーク６を介してサービス管理サーバ３に送信する。
【００４６】
その後、制御部２４は、図４（ｃ）に示す購入完了画面４２０をタッチパネル２２に表示する。また、図３に示すコイン数３４０は、ユーザが購入したコイン数に応じて加算される。
【００４７】
また、メニュアイコン３８１がユーザによってタップされたことに応答して、制御部２４は、サイドメニュ５００をタッチパネル２２に表示する。
【００４８】
図５は、サイドメニュの表示例を示す図である。
【００４９】
サイドメニュ５００には、図５に示すように、ショップボタン５１０、アバタ設定ボタン５２０、新規農地契約ボタン５３０、栽培図鑑ボタン５４０、及び公開設定ボタン５５０等が含まれている。
【００５０】
ショップボタン５１０がユーザによってタップされたことに応答して、制御部２４は、図示せぬショップ画面をタッチパネル２２に表示する。ショップ画面において、ユーザは、ポイントを用いてアバタの着替アイテムや仮想農地の設置アイテム等を購入することができる。制御部２４は、ユーザがショップ画面で購入した図３に示す設置アイテム３５０をトップ画面３００に表示する。また、ポイント数３３０は、ユーザがショップ画面で購入したアイテムの種類に応じて減算される。
【００５１】
図５に示すアバタ設定ボタン５２０がユーザによってタップされたことに応答して、制御部２４は、アバタ設定画面をタッチパネル２２に表示する。アバタ設定画面において、ユーザは、ショップ画面で購入した着替アイテムを用いて、図３に示すアバタ３１０の服装等をカスタマイズすることができる。
【００５２】
図５に示す新規農地契約ボタン５３０は、ユーザがコインを用いて農家から農地の区画を借りるために選択されるものである。制御部２４は、ユーザが新規農地契約ボタン５３０をタップしたことに応答して、農地検索画面６００をタッチパネル２２に表示する。
【００５３】
図６（ａ）は、農地検索画面の表示例を示す図であり、図６（ｂ）は、区画一覧画面の表示例を示す図であり、図６（ｃ）は、区画契約画面の表示例を示す図である。
【００５４】
図６（ａ）に示す農地検索画面６００において、ユーザは、農地のある地域を選択したり、農地名を入力したり、栽培したい野菜を選択したりして、検索対象の農地を絞り込むことができる。制御部２４は、ユーザが農地検索画面６００に検索結果として表示された農地のうちから所望の農地を選択したことに応答して、ユーザが選択した農地の区画一覧画面６１０をタッチパネル２２に表示する。
【００５５】
区画一覧画面６１０には、図６（ｂ）に示すように、ユーザが農地検索画面６００で選択した農地から借りることができる区画と、各区画で栽培される野菜と、各区画を借りるのに必要なコイン数と、が対応付けて表示される。制御部２４は、ユーザが区画一覧画面６１０で所望の区画を選択したことに応答して、図６（ｃ）に示す区画契約画面６２０をタッチパネル２２に表示する。
【００５６】
図６（ｃ）に示す区画契約画面６２０において、ユーザが「契約する」をタップしたことに応答して、制御部２４は、ユーザが区画一覧画面６１０で選択した区画を農家から借りる契約を依頼する区画契約依頼を通信部２３からネットワーク６を介してサービス管理サーバ３に送信する。区画契約依頼には、ユーザと、ユーザが選択した区画と、を特定可能な情報が含まれている。
【００５７】
その後、制御部２４は、図３に示すトップ画面３００にユーザが図６（ｂ）に示す区画一覧画面６１０で選択した区画３６０を表示する。また、コイン数３４０は、図６（ｂ）に示す区画一覧画面６１０で選択した区画を借りるのに必要なコイン数に応じて減算される。
【００５８】
図５に示す栽培図鑑ボタン５４０がユーザによってタップされたことに応答して、制御部２４は、栽培図鑑画面７００をタッチパネル２２に表示する。
【００５９】
図７（ａ）は、栽培図鑑画面の表示例を示す図であり、（ｂ）は、作物詳細画面の表示例を示す図である。
【００６０】
栽培図鑑画面７００には、図７（ａ）に示すように、ユーザが栽培可能な野菜が掲載さいている図鑑（以下、「栽培図鑑」と呼ぶ。）が表示される。栽培図鑑には、ユーザが現在栽培することができる野菜が栽培可能作物として掲載されるとともに、ユーザが過去に栽培した野菜が栽培実績作物として掲載されている。制御部２４は、ユーザが栽培図鑑画面７００で栽培図鑑に栽培実績作物又は栽培可能作物として掲載されている野菜のうちのいずれかを選択したことに応答して、図７（ｂ）に示す作物詳細画面７１０をタッチパネル２２に表示する。
【００６１】
作物詳細画面７１０は、図７（ｂ）に示すように、ユーザが選択した野菜の栽培難易度、栽培開始時期、栽培期間、収穫時期、並びに画像等の基本的な情報、及び栽培のポイント等が表示される。また、作物詳細画面７１０の下方には、左側から順に、栽培ノウハウアイコン７１１と、栽培計画アイコン７１２と、栽培日誌アイコン７１３と、が表示されている。
【００６２】
栽培ノウハウアイコン７１１は、野菜を栽培するためのノウハウを表示するために選択されるものである。制御部２４は、ユーザが栽培ノウハウアイコン７１１をタップしたことに応答して、栽培ノウハウ画面８００をタッチパネル２２に表示する。
【００６３】
図８は、栽培ノウハウ画面の表示例を示す図である。
【００６４】
栽培ノウハウ画面８００は、図８に示すように、ドキュメント又は動画を用いて、野菜の栽培方法、及び野菜の基本的な知識並びに豆知識等をわかりやすく解説するものである。制御部２４は、ユーザが栽培ノウハウ画面８００で「ドキュメント」又は「動画」をタップしたことに応答して、ドキュメントによる解説、又は動画による解説に切り替えて表示する。ユーザは、栽培ノウハウ画面８００によって、野菜を栽培するためのノウハウを簡便に学習することができる。
【００６５】
図７（ｂ）に示す栽培計画アイコン７１２は、野菜の栽培計画を表示するために選択されるものである。制御部２４は、ユーザが栽培計画アイコン７１２をタップしたことに応答して、栽培計画画面９００をタッチパネル２２に表示する。
【００６６】
図９は、栽培計画画面の表示例を示す図である。
【００６７】
栽培計画画面９００には、図９に示すように、ユーザが育成したい野菜の栽培計画が表示される。制御部２４は、ユーザが栽培計画画面９００で「寒冷地」、「暖地」、及び「温暖地」のうちのいずれかを選択したことに応答して、ユーザが選択した地域における栽培計画を栽培計画画面９００に表示する。栽培計画には、ユーザが選択した地域に応じた野菜の栽培工程、及び各栽培工程の実施時期等が含まれている。ユーザは、栽培計画画面９００により、育成したい野菜並びにその野菜を育成する地域に応じた詳細な栽培工程、及び各栽培工程の実施時期を詳細に知ることができるため、初心者であっても簡単に栽培計画を立てることができる。
【００６８】
図７（ｂ）に示す栽培日誌アイコン７１３は、ユーザが作成した野菜の栽培日記を表示するために選択されるものである。制御部２４は、ユーザが栽培日誌アイコン７１３をタップしたことに応答して、栽培日誌一覧画面１０００をタッチパネル２２に表示する。
【００６９】
図１０（ａ）は、栽培日誌一覧画面の表示例を示す図である。
【００７０】
栽培日誌一覧画面１０００には、ユーザが過去に作成した野菜の栽培日記の一覧が表示される。制御部２４は、ユーザが栽培日誌一覧画面１０００に表示されている栽培日記の一覧のうちから、所望の栽培日誌を選択したことに応答して、ユーザが選択した栽培日誌をタッチパネル２２に表示する。
【００７１】
図５に示す公開設定ボタン５５０は、栽培計画及び栽培日誌の公開又は非公開の設定を変更するために選択されるものである。ユーザは、公開設定ボタン５５０をタップして、ユーザが農家から借りている区画毎に、栽培計画及び栽培日誌の公開／非公開を設定することができる。
【００７２】
さらに、図３に示すおでかけアイコン３８２は、ユーザが他のユーザの仮想農地に訪問するために選択されるものである。制御部２４は、ユーザがおでかけアイコン３８２をタップしたことに応答して、ユーザ検索画面１１００をタッチパネル２２に表示する。
【００７３】
図１１は、ユーザ検索画面の表示例を示す図である。
【００７４】
図１１に示すユーザ検索画面１３００において、ユーザが他のユーザのニックネームを入力したり、栽培中の野菜や農地を選択したりして「検索」をタップしたことに応答して、制御部２４は、ユーザが検索した他のユーザの仮想農地を特定可能な訪問要求をネットワーク６を介してサービス管理サーバ３に送信する。その後、タッチパネル２２には、ユーザが検索した他のユーザの仮想農地のトップ画面３００が表示される。このようにして、ユーザは、他のユーザの仮想農地を訪問することができる。
【００７５】
そして、他のユーザが栽培計画を公開に設定している場合、ユーザは、他のユーザの仮想農地のトップ画面３００に表示される栽培計画アイコン３８３をタップすることにより、他のユーザの栽培計画を閲覧することができる。また、他のユーザが栽培日誌を公開に設定している場合、ユーザは、他のユーザの仮想農地のトップ画面３００に表示される栽培日記アイコン３８６をタップすることにより、他のユーザの栽培日誌を閲覧することができる。これにより、ユーザは、他のユーザの野菜の栽培方法を参考にすることができる。
【００７６】
また、図３に示す栽培計画アイコン３８３は、栽培計画アイコン７１２と同様に、野菜の栽培計画を表示するために選択されるものである。制御部２４は、ユーザがトップ画面３００に表示されている区画３６０のうちのいずれかを選択した状態で、栽培計画アイコン３８３をタップしたことに応答して、栽培計画アイコン７１２と同様に、図９に示す栽培計画画面９００をタッチパネル２２に表示する。
【００７７】
図３に示す作業依頼アイコン３８４は、ユーザが農家に農作業を依頼するための選択されるものである。制御部２４は、ユーザがトップ画面３００に表示されている区画３６０のうちのいずれかを選択した状態で、作業依頼アイコン３８４をタップしたことに応答して、依頼作業選択画面１２００をタッチパネル２２に表示する。
【００７８】
図１２は、依頼作業選択画面の表示例を示す図である。
【００７９】
依頼作業選択画面１２００には、図１２に示すように、農作業と、その農作業を農家に依頼するのに必要なコイン数と、が対応付けて表示されている。依頼作業選択画面１０００では、農作業が、水やりや除草等の定常作業と、肥料を与える、間引きする等の工程作業と、殺虫剤散布や害虫避け等の突発作業と、にジャンル分けされて表示されている。制御部２４は、ユーザが依頼作業選択画面１２００で「自分で作業する」以外の農作業を選択し、「依頼する」をタップしたことに応答して、ユーザが選択した農作業を農家に依頼する作業依頼を通信部２３からネットワーク６を介してサービス管理サーバ３に送信する。作業依頼には、ユーザと、ユーザが農家に依頼する農作業と、ユーザが農家に農作業を依頼する区画と、を特定可能な情報が含まれている。
【００８０】
その後、図３に示すコイン数３４０は、ユーザが選択した農作業を農家に依頼するのに必要なコイン数に応じて減少する。なお、ユーザは、依頼作業選択画面１２００で「自分で作業する」を選択し、農地に道具持参で赴いて自分で農作業を行うこともできる。この場合、コイン数３４０は、減少しない。
【００８１】
また、制御部２４は、ユーザが図１２に示す依頼作業選択画面１０００で「収穫物を送付する」をタップし、自宅や、友人の住所、品評会等の配送先を入力したことに応答して、ユーザが入力した配送先に栽培した野菜の配送を依頼する配送依頼を通信部２３からネットワーク６を介してサービス管理サーバ３に送信する。配送依頼には、ユーザと、ユーザが配送を依頼する野菜と、野菜を栽培している区画と、野菜の配送先と、を特定可能な情報が含まれている。また、図３に示すコイン数３４０は、ユーザが入力した配送先までの配送料に応じて減少する。
【００８２】
ユーザが図３に示すトップ画面３００に表示されている区画３６０のうちのいずれかを選択した状態で、栽培記録アイコン３８５をタップしたことに応答して、制御部２４は、栽培記録画面１３００をタッチパネル２２を表示する。
【００８３】
図１３は、栽培記録画面の表示例を示す図である。
【００８４】
栽培記録画面１３００には、図１３に示すように、栽培記録が表示される。栽培記録は、ユーザが農作業を依頼した農家によって作成されるもので、作業工程、作物状態、農家からのレポート、及び農地の写真等を含んでいる。これにより、ユーザは、栽培している野菜の状況を確認することができる。なお、ユーザが栽培記録画面１３００で「いいね！」をタップしたことに応答して、栽培記録を作成して送信した農家のランクがアップするようにしてもよい。
【００８５】
図３に示す栽培日記アイコン３８６は、栽培日誌アイコン７１３と同様に、ユーザが作成した野菜の栽培日記を表示するために選択されるものである。制御部２４は、ユーザがトップ画面３００に表示されている区画３６０のうちのいずれかを選択した状態で、栽培日誌アイコン７１３をタップしたことに応答して、栽培日誌アイコン７１３と同様に、図１０（ａ）に示す栽培日誌一覧画面１０００をタッチパネル２２に表示する。
【００８６】
図１０（ａ）に示す栽培日誌一覧画面１０００において、ユーザが「作成」をタップしたこと、又は図１３に示す栽培記録画面１３００において、ユーザが「栽培日誌を付ける」をタップしたことに応答して、制御部２４は、画像選択画面１０１０をタッチパネル２２に表示する。
【００８７】
図１０（ｂ）は、画像選択画面の表示例を示す図であり、図１０（ｃ）は、栽培日誌作成画面の表示例を示す図である。
【００８８】
画像選択画面１０１０には、栽培日誌に用いる画像を選択するためのもので、デフォルトでは、図１０（ｂ）に示すように、栽培記録に含まれている農地の写真が選択されている。制御部２４は、ユーザが画像選択画面１０１０で「次に」をタップしたことに応答して、栽培日誌作成画面１０２０をタッチパネル２２に表示する。
【００８９】
栽培日誌作成画面１０２０には、図１０（ｃ）に示すように、ユーザが画像選択画面１１２０で選択した画像、及び栽培記録に含まれている作業工程、作物状態、並びに農家からのレポート等が予め入力されている。ユーザは、栽培日誌作成画面１０２０で自身のコメントを入力することができる。そして、制御部２４は、ユーザが栽培日誌作成画面１０２０で「完了」をタップしたことに応答して、栽培日誌を作成して通信部２３からネットワーク６を介してサービス管理サーバ３に送信する。
【００９０】
図１に示すサービス管理サーバ３は、例えば汎用のサーバコンピュータ等から構成され、遠隔地のユーザが農家から農地の区画を借りて野菜等の農作物の栽培等を行うことを可能にするためのサービスを提供する。
【００９１】
図１４は、サービス管理サーバの構成例を示す機能ブロック図である。
【００９２】
サービス管理サーバ３は、図１４に示すように、記憶部３１と、通信部３３と、制御部３４と、を備え、バスを介して相互に接続されている。
【００９３】
記憶部３１は、例えばハードディスクドライブ等の汎用の記憶装置から構成され、仮想農地アプリのインストーラ、ユーザ端末２のタッチパネル２２に各種画面を表示するための画像データ、ユーザ管理ＤＢ（Date Base）１００、及び農地管理ＤＢ２００を記憶している。
【００９４】
ユーザ管理ＤＢ１００は、ユーザ毎に、ユーザがユーザ登録画面で登録したプロフィールと、アバタ設定画面で登録したアバタと、ユーザが有するポイント数及びコイン数と、ユーザがショップで購入したアイテムと、ユーザが作成した栽培日誌と、を対応付けて登録する。
【００９５】
農地管理ＤＢ２００は、農地毎に設けられ、農地を所有する農家を登録するとともに、農地の区画毎に、区画で栽培される野菜と、区画を借りるのに必要なコイン数と、区画を借りているユーザと、区画での栽培記録と、区画での栽培計画及び栽培日誌の公開／非公開設定と、を対応付けて登録している。
【００９６】
通信部３３は、例えばＮＩＣ（Network Interface Card）等の汎用の通信装置を含んで構成され、ユーザ端末２及び農家端末４とネットワーク６を介して無線通信を行う。また、通信部３３は、決済依頼をネットワーク６を介して図示せぬ外部の決済サーバに送信したり、配送要求をネットワーク６を介して配送サーバ５に送信したりする。
【００９７】
制御部３４は、例えばＣＰＵ、ＲＯＭ、及びＲＡＭ等を含む汎用のマイクロコンピュータ等から構成され、ＣＰＵが、ＲＡＭをワークメモリとして用い、ＲＯＭや記憶部３１等に記憶されている各種プログラムを適宜実行することによって、サービス管理サーバ３の各部の動作を制御する。
【００９８】
具体的に、制御部３４は、ユーザ端末２による仮想農地アプリの初回起動時に、利用規約画面、ユーザ登録画面、アバタ設定画面、及びチュートリアル等を表示するための画像データを通信部３３からネットワーク６を介してユーザ端末２に送信することにより、ユーザ端末２のタッチパネル２２に利用規約画面、ユーザ登録画面、アバタ設定画面、及びチュートリアル等を表示させる。そして、制御部３４は、ユーザがユーザ端末２のタッチパネル２２に表示されるユーザ登録画面で登録したプロフィール、及びアバタ設定画面で設定したアバタをネットワーク６を介して通信部３３で受信してユーザ管理ＤＢ１００に登録する。
【００９９】
その後、制御部３４は、ユーザ管理ＤＢ１００に登録されているユーザのプロフィール並びにアバタ、ユーザが有するポイント数、コイン数、並びに設置アイテム、及び農地管理ＤＢ２００から特定されるユーザが借りている区画から図３に示すトップ画面３００を表示するための画像データを生成する。
【０１００】
本実施形態において、制御部３４は、ユーザ管理ＤＢ１００に登録されているユーザのプロフィール並びにアバタ、ユーザが有するポイント数、コイン数、並びに設置アイテム、及び農地管理ＤＢ２００から特定されるユーザが借りている区画を更新する毎に、トップ画面３００を表示するための画像データを生成する。
【０１０１】
そして、制御部３４は、トップ画面３００を表示するための画像データを通信部３３からネットワーク６を介してユーザ端末２に送信することにより、ユーザ端末２のタッチパネル２２にトップ画面３００を表示させる。
【０１０２】
制御部３４は、ユーザがユーザ端末２でアバタ３１０をタップしたことに応答して、アバタ設定画面を表示するための画像データを通信部３３からネットワーク６を介してユーザ端末２に送信することにより、ユーザ端末２のタッチパネル２２にアバタ設定画面を表示させる。
【０１０３】
また、制御部３４は、ユーザがユーザ端末２でキャラクタ３２０をタップしたことに応答して、ユーザ管理ＤＢ１００に登録されているポイント数に、ユーザがタップしたキャラクタ３２０の種類に応じたポイント数を加算する。
【０１０４】
さらに、制御部３４は、ユーザがユーザ端末２で課金アイコン３８０をタップしたことに応答して、図４（ａ）に示す課金選択画面４００を表示するための画像データを通信部３３からネットワーク６を介してユーザ端末２に送信することにより、ユーザ端末２のタッチパネル２２に課金選択画面４００を表示させる。
【０１０５】
次に、制御部３４は、ユーザが課金選択画面４００で「コインを購入する」をタップしたことに応答して、図４（ｂ）に示す確認画面４１０を表示するための画像データを通信部３３からネットワーク６を介してユーザ端末２に送信することにより、ユーザ端末２のタッチパネル２２に確認画面４１０を表示させる。
【０１０６】
続いて、制御部３４は、ユーザ端末２からネットワーク６を介して送信される購入依頼を通信部３３で受信したことに応答して、購入依頼から特定されるコイン数に対応する金額の決済を依頼する決済依頼を、通信部３３からネットワーク６を介して外部の決済サーバに送信する。
【０１０７】
その後、制御部３４は、外部の決済サーバからネットワーク６を介して送信される決済完了通知を受信したことに応答して、ユーザ管理ＤＢ１００に登録されているコイン数に、購入依頼から特定されるコイン数を加算する。
【０１０８】
そして、制御部３４は、図４（ｃ）に示す購入完了画面４２０を表示するための画像データを通信部３３からネットワーク６を介してユーザ端末２に送信することにより、ユーザ端末２のタッチパネル２２に購入完了画面４２０を表示させる。
【０１０９】
また、制御部３４は、ユーザがユーザ端末２でメニュアイコン３８１をタップしたことに応答して、図５に示すサイドメニュ５００を表示するための画像データを通信部３３からネットワーク６を介してユーザ端末２に送信することにより、ユーザ端末２のタッチパネル２２にサイドメニュ５００を表示させる。
【０１１０】
その後、制御部３４は、ユーザがユーザ端末２でショップボタン５１０をタップしたことに応答して、ショップ画面を表示するための画像データを通信部３３からネットワーク６を介してユーザ端末２に送信することにより、ユーザ端末２のタッチパネル２２にショップ画面を表示させる。
【０１１１】
そして、制御部３４は、ユーザがショップ画面でアイテムを購入したことに応答して、ユーザが購入したアイテムをユーザ管理ＤＢ１００に登録するとともに、ユーザ管理ＤＢ１００に登録されているポイント数から、ユーザが購入したアイテムの種類に応じたポイント数を減算する。
【０１１２】
また、制御部３４は、ユーザがユーザ端末２でアバタ設定ボタン５２０をタップしたことに応答して、アバタ設定画面を表示するための画像データを通信部３３からネットワーク６を介してユーザ端末２に送信することにより、ユーザ端末２のタッチパネル２２にアバタ設定画面を表示させる。
【０１１３】
さらに、制御部３４は、ユーザがユーザ端末２で新規農地契約ボタン５３０をタップしたことに応答して、図６（ａ）に示す農地検索画面６００を表示するための画像データを通信部３３からネットワーク６を介してユーザ端末２に送信することにより、ユーザ端末２のタッチパネル２２に農地検索画面６００を表示させる。
【０１１４】
次に、制御部３４は、ユーザがユーザ端末２で農地検索画面６００に検索結果として表示された農地のうちから所望の農地を選択したことに応答して、その農地から借りることができる区画と、各区画で栽培される野菜と、各区画を借りるのに必要なコイン数と、を農地管理ＤＢ２００から読み出す。
【０１１５】
続いて、制御部３４は、農地管理ＤＢ２００から読み出した区画と、各区画で栽培される野菜と、各区画を借りるのに必要なコイン数と、に基づいて、図６（ｂ）に示す区画一覧画面６１０を表示するための画像データを生成する。そして、制御部３４は、区画一覧画面６１０を表示するための画像データを通信部３３からネットワーク６を介してユーザ端末２に送信することにより、ユーザ端末２のタッチパネル２２に区画一覧画面６１０を表示させる。
【０１１６】
続いて、制御部３４は、ユーザが区画一覧画面６１０で所望の区画を選択したことに応答して、図６（ｃ）に示す区画契約画面６２０を表示するための画像データを通信部３３からネットワーク６を介してユーザ端末２に送信することにより、ユーザ端末２のタッチパネル２２に区画契約画面６２０を表示させる。
【０１１７】
続いて、制御部３４は、ユーザ端末２からネットワーク６を介して送信される区画契約依頼を通信部３３で受信したことに応答して、区画契約依頼から特定される区画に対応するコイン数を農地管理ＤＢ２００から特定する。そして、制御部３４は、ユーザ管理ＤＢ１００に登録されているコイン数から、農地管理ＤＢ２００で特定したコイン数を減算する。また、制御部３４は、区画契約依頼から特定される区画及びユーザを農地管理ＤＢ２００に対応付けて登録する。なお、制御部３４は、区画契約依頼から特定される区画に対応する農家を農地管理ＤＢ２００から特定する。そして、制御部３４は、区画契約依頼から特定される区画を借りる契約が成立した旨を、農地管理ＤＢ２００から特定した農家の農家端末３にネットワーク６を介して伝えるようにしてもよい。
【０１１８】
また、制御部３４は、ユーザがユーザ端末２で栽培図鑑ボタン５４０をタップしたことに応答して、図７（ａ）に示す栽培図鑑画面７００を表示するための画像データを通信部３３からネットワーク６を介してユーザ端末２に送信することにより、ユーザ端末２のタッチパネル２２に栽培図鑑画面７００を表示させる。
【０１１９】
さらに、制御部３４は、ユーザが栽培図鑑画面７００で栽培図鑑に栽培実績作物又は栽培可能作物として掲載されている野菜のうちのいずれかを選択したことに応答して、図７（ｂ）に示す作物詳細画面７１０を表示するための画像データを通信部３３からネットワーク６を介してユーザ端末２に送信することにより、ユーザ端末２のタッチパネル２２に作物詳細画面７１０を表示させる。
【０１２０】
また、制御部３４は、ユーザがユーザ端末２で栽培ノウハウアイコン７１１をタップしたことに応答して、図８に示す栽培ノウハウ画面８００を表示するための画像データを通信部３３からネットワーク６を介してユーザ端末２に送信することにより、ユーザ端末２のタッチパネル２２に栽培ノウハウ画面８００を表示させる。
【０１２１】
さらに、制御部３４は、ユーザがユーザ端末２で栽培計画アイコン７１２をタップしたこと、又はトップ画面３００に表示されている区画３６０のうちのいずれかを選択した状態で、栽培計画アイコン３８３をタップしたことに応答して、図９に示す栽培計画画面９００を表示するための画像データを通信部３３からネットワーク６を介してユーザ端末２に送信することにより、ユーザ端末２のタッチパネル２２に栽培計画画面９００を表示させる。
【０１２２】
また、制御部３４は、ユーザがユーザ端末２で栽培日誌アイコン７１３をタップしたことに応答して、ユーザが作成した栽培日誌をユーザ管理ＤＢ１００から読み出す。そして、制御部３４は、ユーザ管理ＤＢ１００から読み出した栽培日誌に基づいて、図１０（ａ）に示す栽培日誌一覧画面１０００を表示するための画像データを生成する。そして、制御部３４は、栽培日誌一覧画面１０００を表示するための画像データを通信部３３からネットワーク６を介してユーザ端末２に送信することにより、ユーザ端末２のタッチパネル２２に栽培日誌一覧画面１０００を表示させる。
【０１２３】
さらに、制御部３４は、ユーザがユーザ端末２で設定した栽培計画及び栽培日誌の公開／非公開を、農地管理ＤＢ２００に登録する。
【０１２４】
また、制御部３４は、ユーザがユーザ端末２でおでかけアイコン３８２をタップしたことに応答して、図１１に示すユーザ検索画面１１００を表示するための画像データを通信部３３からネットワーク６を介してユーザ端末２に送信することにより、ユーザ端末２のタッチパネル２２にユーザ検索画面１１００を表示させる。
【０１２５】
さらに、制御部３４は、ユーザ端末２からネットワーク６を介して送信される訪問要求を通信部３３で受信したことに応答して、訪問要求から特定される他のユーザのプロフィール、アバタ、設置アイテム、栽培計画、及び栽培日誌をユーザ管理ＤＢ１００から読み出すとともに、訪問要求から特定される他のユーザが農家から借りている区画及びその区画での栽培計画及び栽培日誌の公開／非公開設定を農地管理ＤＢ２００から読み出す。
【０１２６】
続いて、制御部３４は、ユーザ管理ＤＢ１００から読み出した他のユーザのプロフィール、アバタ、設置アイテム、栽培計画、及び栽培日誌と、農地管理ＤＢ２００から読み出した他のユーザが農家から借りている区画及びその区画での栽培計画及び栽培日誌の公開／非公開設定に基づいて、他のユーザの仮想農地のトップ画面３００を表示するための画像データを生成する。
【０１２７】
そして、制御部３４は、他のユーザの仮想農地のトップ画面３００を表示するための画像データを通信部３３からネットワーク６を介してユーザ端末２に送信することにより、ユーザ端末２のタッチパネル２２に他のユーザの仮想農地のトップ画面３００を表示させる。
【０１２８】
また、制御部３４は、ユーザがユーザ端末２で図３に示すトップ画面３００に表示されている区画３６０のうちのいずれかを選択した状態で、作業依頼アイコン３８４をタップしたことに応答して、ユーザが選択した区画で栽培されている野菜を農地管理ＤＢ２００から特定する。次に、制御部３４は、農地管理ＤＢ２００から特定した野菜に対応した農作業を選択可能な、図１２に示す依頼作業選択画面１２００を表示するための画像データを生成する。そして、制御部３４は、依頼作業選択画面１２００を表示するための画像データを通信部３３からネットワーク６を介してユーザ端末２に送信することにより、ユーザ端末２のタッチパネル２２に依頼作業選択画面１２００を表示させる。
【０１２９】
さらに、制御部３４は、ユーザ端末２からネットワーク６を介して送信される作業依頼を通信部３３で受信したことに応答して、作業依頼から特定される区画に対応する農家を農地管理ＤＢ２００から特定する。そして、制御部３４は、農地管理ＤＢ２００から特定した農家の農家端末４に、作業依頼を通信部３３からネットワーク６を介して送信する。その後、制御部３４は、農家端末４からネットワーク６を介して送信される栽培記録を通信部３３で受信して農地管理ＤＢ２００に登録する。
【０１３０】
また、制御部３４は、ユーザ端末２からネットワーク６を介して送信される配送依頼を通信部３３で受信したことに応答して、配送依頼から特定される区画に対応する農家を農地管理ＤＢ２００から特定する。そして、制御部３４は、農地管理ＤＢ２００から特定した農家の農家端末４に、配送依頼を通信部３３からネットワーク６を介して送信する。また、制御部３４は、農家が梱包した野菜の集荷を配送業者に依頼する集荷依頼を通信部３３からネットワーク６を介して配送サーバ５に送信する。集荷依頼には、配送業者が野菜を集荷する農家の住所が含まれている。
【０１３１】
さらに、制御部３４は、ユーザがユーザ端末２で図３に示すトップ画面３００に表示されている区画３６０のうちのいずれかを選択した状態で、栽培記録アイコン３８５をタップしたことに応答して、ユーザが選択した区画に対応する栽培記録を農地管理ＤＢ２００から読み出す。続いて、制御部３４は、農地管理ＤＢ２００から読み出した栽培記録に基づいて、図１３に示す栽培記録画面１３００を表示するための画像データを生成する。そして、制御部３４は、栽培記録画面１３００を表示するための画像データを通信部３３からネットワーク６を介してユーザ端末２に送信することにより、ユーザ端末２のタッチパネル２２に栽培記録画面１３００を表示させる。
【０１３２】
次に、制御部３４は、ユーザが栽培日誌一覧画面１０００で「作成」をタップしたこと、又は栽培記録画面１３００で「栽培日誌を付ける」でタップしたことに応答して、図１０（ｂ）に示す画像選択画面１０１０を表示するための画像データを通信部３３からネットワーク６を介してユーザ端末２に送信することにより、ユーザ端末２のタッチパネル２２に画像選択画面１０１０を表示させる。
【０１３３】
続いて、制御部３４は、ユーザが画像選択画面１０１０で「次に」をタップしたことに応答して、図１０（ｃ）に示す栽培日誌作成画面１０２０を表示するための画像データを通信部３３からネットワーク６を介してユーザ端末２に送信することにより、ユーザ端末２のタッチパネル２２に栽培日誌作成画面１０２０を表示させる。
【０１３４】
そして、制御部３４は、ユーザ端末２からネットワーク６を介して送信される栽培日誌を通信部３３で受信したことに応答して、栽培日誌をユーザ管理ＤＢ１００に登録する。
【０１３５】
農家端末４は、例えば汎用のタブレットコンピュータやスマートフォン等から構成され、ユーザからの農作業や野菜の配送の依頼を受け付けたり、ユーザに野菜の栽培記録を送信したりするために用いられる。なお、農家端末４は、汎用のパーソナルコンピュータから構成されてもよい。
【０１３６】
図１５は、農家端末の構成例を示す機能ブロック図である。
【０１３７】
農家端末４は、図１５に示すように、カメラ４０と、タッチパネル４２と、通信部４３と、制御部４４と、を備え、バスを介して相互に接続されている。
【０１３８】
カメラ４０は、例えば汎用のＣＣＤ（Charge Coupled Device）カメラ等から構成され、農家がタッチパネル４２を操作して、例えば農地の写真を撮影する。
【０１３９】
タッチパネル４２は、例えば液晶表示装置とポインティングデバイスとを組み合わせた汎用のタッチパネル等から構成され、制御部４４による制御に従って、各種画面を表示するとともに、ユーザによる各種操作を受け付ける。
【０１４０】
通信部４３は、例えば汎用の無線通信機器等から構成され、農家がタッチパネル２２で入力した指示や情報等をネットワーク６を介してサービス管理サーバ３等に無線送信する。また、通信部４３は、サービス管理サーバ３等からネットワーク６を介して無線送信される指示や情報等を受信する。
【０１４１】
制御部４４は、例えばＣＰＵ、ＲＯＭ、及びＲＡＭ等を含む汎用のマイクロコンピュータ等から構成され、ＣＰＵが、ＲＡＭをワークメモリとして用い、ＲＯＭ等に記憶されている各種プログラムを適宜実行することによって、農家端末４の各部の動作を制御する。
【０１４２】
本実施形態において、制御部４４は、サービス管理サーバ３からネットワーク６を介して送信される作業依頼を通信部４３で受信したことに応答して、作業依頼から特定される区画及び農作業をタッチパネル４２に表示する。農家は、タッチパネル４２の表示を参照して、ユーザが農家に農作業を依頼した区画と、ユーザが農家に依頼した農作業と、を確認することができる。そして、農家は、ユーザが農家に農作業を依頼した区画で、実際にユーザが農家に依頼した水やりや肥料を与える等の農作業を行う。
【０１４３】
その後、農家は、農家端末４のカメラ４０で農地の写真を撮影する。そして、農家は、農家端末４のタッチパネル４２を操作して、作業工程、作物状態、及び農家からのレポート等を入力する。
【０１４４】
そして、制御部４４は、ユーザがタッチパネル４２で入力した作業工程、作物状態、及び農家からのレポート等と、カメラ４０で撮影した農地の写真と、を含む栽培記録を作成し、通信部４３からネットワーク６を介してサービス管理サーバ３に送信する。
【０１４５】
また、制御部４４は、サービス管理サーバ３からネットワーク６を介して送信される配送依頼を通信部４３で受信したことに応答して、配送依頼から特定される野菜と、野菜を栽培している区画と、野菜の配送先と、をタッチパネル４２に表示する。農家は、タッチパネル４２の表示を参照して、ユーザが野菜を栽培している区画から、野菜を収穫して梱包し、野菜の配送先を記載する。
【０１４６】
図１に示す配送サーバ５は、例えば汎用のサーバコンピュータ等から構成され、配送業者によって運用されている。配送サーバ５は、図示せぬ通信部と、表示部と、を備え、これらはバスを介して相互に接続されている。配送サーバ５は、サービス管理サーバ３からネットワーク６を介して送信される集荷依頼を通信部で受信したことに応答して、集荷依頼から特定される農家の住所を表示する。配送業者は、表示部の表示を参照して、農家の住所を確認することができる。その後、配送業者は、農家から野菜を集荷し、配送先に配達する。
【０１４７】
次に、上記構成を備える遠隔地栽培システムの動作を図面を参照しつつ説明する。
【０１４８】
まず、ユーザがユーザ端末２のタッチパネル２２に表示される図３に示すトップ画面３００で、メニュアイコン３８１をタップしたことに応答して、サービス管理サーバ３の制御部３４は、図５に示すサイドメニュ５００を表示するための画像データを通信部３３からネットワーク６を介してユーザ端末２に送信することにより、ユーザ端末２のタッチパネル２２にサイドメニュ５００を表示させる。
【０１４９】
そして、ユーザがサイドメニュ５００で新規農地契約ボタン５３０をタップしたことに応答して、遠隔地栽培システム１は、新規農地契約処理を実行する。
【０１５０】
図１６及び図１７は、新規農地契約処理の一例を示すフローチャートである。
【０１５１】
新規農地契約処理において、サービス管理サーバ３の制御部３４は、図１６に示すように、まず、図６（ａ）に示す農地検索画面６００を表示するための画像データを通信部３３からネットワーク６を介してユーザ端末２に送信することにより、ユーザ端末２のタッチパネル２２に農地検索画面６００を表示させる（ステップＳ１）。ユーザは、農地検索画面６００で、農地のある地域を選択したり、農地名を入力したり、栽培したい野菜を選択したりして、検索対象の農地を絞り込む。
【０１５２】
そして、ユーザが農地検索画面６００に検索結果として表示された農地のうちから所望の農地を選択したことに応答して（ステップＳ２；Ｙｅｓ）、サービス管理サーバ３の制御部３４は、その農地から借りることができる区画と、各区画で栽培される野菜と、各区画を借りるのに必要なコイン数と、を農地管理ＤＢ２００から読み出す（ステップＳ３）。
【０１５３】
続いて、制御部３４は、農地管理ＤＢ２００から読み出した区画と、各区画で栽培される野菜と、各区画を借りるのに必要なコイン数と、に基づいて、図６（ｂ）に示す区画一覧画面６１０を表示するための画像データを生成する（ステップＳ４）。
【０１５４】
そして、制御部３４は、区画一覧画面６１０を表示するための画像データを通信部３３からネットワーク６を介してユーザ端末２に送信することにより、ユーザ端末２のタッチパネル２２に区画一覧画面６１０を表示させる（ステップＳ５）。
【０１５５】
その後、ユーザが区画一覧画面６１０で所望の区画を選択したことに応答して（ステップＳ６；Ｙｅｓ）、図６（ｃ）に示す区画契約画面６２０を表示するための画像データを通信部３３からネットワーク６を介してユーザ端末２に送信することにより、ユーザ端末２のタッチパネル２２に区画契約画面６２０を表示させる（ステップＳ７）。
【０１５６】
ユーザが区画契約画面６２０で「契約する」をタップしたことに応答して（ステップＳ８；Ｙｅｓ）、ユーザ端末２の制御部２４は、ユーザが区画一覧画面６１０で選択した区画を農家から借りる契約を依頼する区画契約依頼を通信部２３からネットワーク６を介してサービス管理サーバ３に送信する（ステップＳ９）。
【０１５７】
サービス管理サーバ３の制御部３４は、ユーザ端末２からネットワーク６を介して送信される区画契約依頼を通信部３３で受信したことに応答して（ステップＳ１０）、図１７に示すように、区画契約依頼から特定される区画に対応するコイン数を農地管理ＤＢ２００から特定する（ステップＳ１１）。
【０１５８】
そして、制御部３４は、ユーザ管理ＤＢ１００に登録されているコイン数から、農地管理ＤＢ２００で特定したコイン数を減算する（ステップＳ１２）。また、制御部３４は、区画契約依頼から特定される区画及びユーザを農地管理ＤＢ２００に対応付けて登録してから（ステップＳ１３）、新規農地契約処理を終了する。
【０１５９】
これにより、ユーザ端末２のタッチパネル２２に表示される図３に示すトップ画面３００には、減算後のコイン数３４０が表示されるとともに、農地管理ＤＢ２００でユーザに対応付けて登録された区画３６０が表示される。
【０１６０】
次に、ユーザがユーザ端末２で図３に示すトップ画面３００に表示されている区画３６０のうちのいずれかを選択した状態で、作業依頼アイコン３８４をタップしたことに応答して、遠隔地栽培システム１は、作業依頼処理を実行する。
【０１６１】
図１８及び図１９は、作業依頼処理の一例を示すフローチャートである。
【０１６２】
作業依頼処理において、サービス管理サーバ３の制御部３４は、図１８に示すように、まず、ユーザが選択した区画で栽培されている野菜を農地管理ＤＢ２００から特定する（ステップＳ２１）。
【０１６３】
次に、制御部３４は、農地管理ＤＢ２００から特定した野菜に対応した農作業を選択可能な、図１２に示す依頼作業選択画面１２００を表示するための画像データを生成する（ステップＳ２２）。
【０１６４】
そして、制御部３４は、依頼作業選択画面１２００を表示するための画像データを通信部３３からネットワーク６を介してユーザ端末２に送信することにより、ユーザ端末２のタッチパネル２２に依頼作業選択画面１２００を表示させる（ステップＳ２３）。
【０１６５】
そして、ユーザが依頼作業選択画面１２００で「自分で作業する」以外の農作業を選択し、「依頼する」をタップしたことに応答して（ステップＳ２４；Ｙｅｓ）、ユーザ端末２の制御部２４は、ユーザが選択した農作業を農家に依頼する作業依頼を通信部２３からネットワーク６を介してサービス管理サーバ３に送信する（ステップＳ２５）。
【０１６６】
サービス管理サーバ３の制御部３４は、図１９に示すように、ユーザ端末２からネットワーク６を介して送信される作業依頼を通信部３３で受信したことに応答して（ステップＳ２６）、作業依頼から特定される区画に対応する農家を農地管理ＤＢ２００から特定する（ステップＳ２７）。
【０１６７】
そして、制御部３４は、農地管理ＤＢ２００から特定した農家の農家端末４に、作業依頼を通信部３３からネットワーク６を介して送信する（ステップＳ２８）。
【０１６８】
農家端末４の制御部４４は、サービス管理サーバ３からネットワーク６を介して送信される作業依頼を通信部４３で受信したことに応答して（ステップＳ２９）、作業依頼から特定される区画及び農作業をタッチパネル４２に表示してから（ステップＳ３０）、作業依頼処理を終了する。
【０１６９】
その後、農家は、タッチパネル４２の表示を参照して、ユーザが農家に農作業を依頼した区画と、ユーザが農家に依頼した農作業と、を確認することができる。そして、農家は、ユーザが農家に農作業を依頼した区画で、実際にユーザが農家に依頼した水やりや肥料を与える等の農作業を行う。その後、農家は、農家端末４のカメラ４０で農地の写真を撮影する。そして、農家は、農家端末４のタッチパネル４２を操作して、作業工程、作物状態、及び農家からのレポート等を入力する。
【０１７０】
そして、制御部４４は、ユーザがタッチパネル４２で入力した作業工程、作物状態、及び農家からのレポート等と、カメラ４０で撮影した農地の写真と、を含む栽培記録を作成し、通信部４３からネットワーク６を介してサービス管理サーバ３に送信する。
【０１７１】
サービス管理サーバ３の制御部３４は、農家端末４からネットワーク６を介して送信される栽培記録を通信部３３で受信したことに応答して、作業依頼から特定されるユーザのユーザ端末２に、栽培記録を通信部３３からネットワーク６を介して送信する。
【０１７２】
ユーザ端末２の制御部２４は、サービス管理サーバ３からネットワーク６を介して送信される栽培記録を通信部２３で受信して農地管理ＤＢ２００に登録する。
【０１７３】
その後、ユーザがユーザ端末２で図３に示すトップ画面３００に表示されている区画３６０のうちのいずれかを選択した状態で、栽培記録アイコン３８５をタップしたことに応答して、制御部３４は、ユーザが選択した区画に対応する栽培記録を農地管理ＤＢ２００から読み出す。
【０１７４】
続いて、制御部３４は、農地管理ＤＢ２００から読み出した栽培記録に基づいて、図１３に示す栽培記録画面１３００を表示するための画像データを生成する。
【０１７５】
そして、制御部３４は、栽培記録画面１３００を表示するための画像データを通信部３３からネットワーク６を介してユーザ端末２に送信することにより、ユーザ端末２のタッチパネル２２に栽培記録画面１３００を表示させる。
【０１７６】
その後、ユーザがユーザ端末２のタッチパネル２２に表示される栽培日誌一覧画面１０００で「作成」をタップしたこと、又は栽培記録画面１３００で「栽培日誌を付ける」でタップしたことに応答して、遠隔地栽培システム１は、栽培日誌作成処理を実行する。
【０１７７】
図２０は、栽培日誌作成処理の詳細を示すフローチャートである。
【０１７８】
サービス管理サーバ３の制御部３４は、図１０（ｂ）に示す画像選択画面１０１０を表示するための画像データを通信部３３からネットワーク６を介してユーザ端末２に送信することにより、ユーザ端末２のタッチパネル２２に画像選択画面１０１０を表示させる（ステップＳ３１）。画像選択画面１０１０には、デフォルトで栽培記録に含まれている農地の写真が選択されている。
【０１７９】
その後、ユーザが画像選択画面１０１０で「次に」をタップしたことに応答して（ステップＳ３２；Ｙｅｓ）、サービス管理サーバ３の制御部３４は、図１０（ｃ）に示す栽培日誌作成画面１０２０を表示するための画像データを通信部３３からネットワーク６を介してユーザ端末２に送信することにより、ユーザ端末２のタッチパネル２２に栽培日誌作成画面１０２０を表示させる（ステップＳ３３）。
【０１８０】
栽培日誌作成画面１０２０には、ユーザが画像選択画面１１２０で選択した画像、及び栽培記録に含まれている作業工程、作物状態、並びに農家からのレポート等が予め入力されている。ユーザは、栽培日誌作成画面１０２０で自身のコメントを入力する。
【０１８１】
そして、ユーザ端末２の制御部２４は、ユーザが栽培日誌作成画面１０２０で「完了」をタップしたことに応答して（ステップＳ３４；Ｙｅｓ）、栽培日誌を作成して（ステップＳ３５）、通信部２３からネットワーク６を介してサービス管理サーバ３に送信する（ステップＳ３６）。
【０１８２】
そして、サービス管理サーバ３の制御部３４は、ユーザ端末２からネットワーク６を介して送信される栽培日誌を通信部３３で受信したことに応答して（ステップＳ３７）、栽培日誌をユーザ管理ＤＢ１００に登録してから（ステップＳ３８）、栽培日誌作成処理を終了する。
【０１８３】
その後、ユーザがユーザ端末２のタッチパネル２２に表示される図１２に示す依頼作業選択画面１０００で「収穫物を送付する」をタップし、自宅や、友人の住所、品評会等の配送先を入力したことに応答して、ユーザ端末２の制御部２４は、配送依頼処理を実行する。
【０１８４】
図２１は、配送依頼処理の一例を示すフローチャートである。
【０１８５】
ユーザ端末２の制御部２４は、まず、図２１に示すように、ユーザが入力した配送先に栽培した野菜の配送を依頼する配送依頼を通信部２３からネットワーク６を介してサービス管理サーバ３に送信する（ステップＳ４１）。
【０１８６】
サービス管理サーバ３の制御部３４は、ユーザ端末２からネットワーク６を介して送信される配送依頼を通信部３３で受信したことに応答して（ステップＳ４２）、配送依頼から特定される区画に対応する農家を農地管理ＤＢ２００から特定する（ステップＳ４３）。
【０１８７】
続いて、制御部３４は、農地管理ＤＢ２００から特定した農家の農家端末４に、配送依頼を通信部３３からネットワーク６を介して送信する（ステップＳ４４）。
【０１８８】
農家端末４の制御部４４は、サービス管理サーバ３からネットワーク６を介して送信される配送依頼を通信部４３で受信したことに応答して、配送依頼から特定される野菜と、野菜を栽培している区画と、野菜の配送先と、をタッチパネル４２に表示する。農家は、タッチパネル４２の表示を参照して、ユーザが野菜を栽培している区画から、野菜を収穫して梱包し、野菜の配送先を記載する。
【０１８９】
また、サービス管理サーバ３の制御部３４は、農家が梱包した野菜の集荷を配送業者に依頼する集荷依頼を通信部３３からネットワーク６を介して配送サーバ５に送信してから（ステップＳ４５）、配送依頼処理を終了する。
【０１９０】
配送サーバ５は、サービス管理サーバ３からネットワーク６を介して送信される集荷依頼を通信部で受信したことに応答して、集荷依頼から特定される農家の住所を表示する。配送業者は、表示部の表示を参照して、農家の住所を確認することができる。その後、配送業者は、農家から野菜を集荷し、配送先に配達する。
【０１９１】
以上説明したように、本実施形態に係る遠隔地栽培システム１は、ユーザによって操作されるユーザ端末２と、サービス管理システム３と、農家によって操作される農家端末４と、を備え、これらはネットワーク６を介して相互に接続されている。サービス管理システム３は、野菜を栽培するための区画と、この区画を借りているユーザと、この区画で野菜を栽培するための作業を実際に行う農家と、を対応付けて登録する農地管理ＤＢ２００を備えている。
【０１９２】
ユーザ端末２は、ユーザと、ユーザが借りている区画と、ユーザが依頼する農作業と、を特定可能な作業依頼をネットワーク６を介してサービス管理サーバ３に送信する。サービス管理サーバ３は、作業依頼をユーザ端末２から受信したことに応答して、作業依頼から特定される区画に対応する農家を農地管理ＤＢ２００から特定する。そして、サービス管理サーバ３は、農地管理ＤＢ２００から特定した農家の農家端末４にネットワーク６を介して、作業依頼から特定される区画で栽培されている野菜に、作業依頼から特定される農作業を行うことを依頼する。
【０１９３】
このように、本実施形態に係る遠隔地栽培システム１によれば、遠隔地のユーザによる野菜の栽培を可能にすることができる。
【０１９４】
また、サービス管理サーバ３は、ユーザが借りている区画を特定可能な仮想農地をユーザ端末２に表示し、ユーザがユーザ端末２に表示される仮想農地の区画のうちから選択した区画で栽培している野菜に対応する農作業を、ユーザ端末２に選択可能に表示する。そして、サービス管理サーバ３は、ユーザが仮想農地で選択した区画と、ユーザ端末２に表示される農作業のうちから選択した農作業と、を特定可能な作業依頼をユーザ端末２から受信する。
【０１９５】
これにより、遠隔地栽培システム１は、ユーザによる作業依頼を簡便にすることができる。
【０１９６】
その後、サービス管理サーバ３は、農家が依頼された農作業を行った後の野菜の栽培記録を農家端末４から受信し、ユーザがユーザ端末２に表示される仮想農地の区画のうちから選択した区画で栽培している栽培記録を、ユーザ端末２に表示する。
【０１９７】
これにより、ユーザは、栽培している野菜の状況を確認することができる。
【０１９８】
さらに、サービス管理サーバ３は、ユーザが栽培記録を用いて作成した栽培日誌を記憶するとともに、栽培日誌を他のユーザに公開するか否かを設定する。
【０１９９】
これにより、ユーザは、自分が作成した栽培日誌を記憶することができるとともに、公開することも公開しないこともできる。
【０２００】
また、サービス管理サーバ３は、ユーザが借りることができる区画をユーザ端末２に選択可能に表示し、ユーザがユーザ端末２に表示される区画のうちから選択した区画を、ユーザに対応付けて農地管理ＤＢ２００に登録する。
【０２０１】
これにより、遠隔地栽培システム１は、ユーザが新たに借りた区画３６０を仮想農地に表示することができる。
【０２０２】
さらに、サービス管理サーバ３は、ユーザと、ユーザが借りている区画と、区画で栽培されている野菜と、野菜の配送先と、を特定可能な配送依頼をユーザ端末２から受信したことに応答して、配送依頼から特定される区画に対応する農家を農地管理ＤＢ２００から特定する。そして、サービス管理サーバ３は、農地管理ＤＢ２００から特定した農家の農家端末３に、配送依頼から特定される区画で栽培されている野菜の配送先への配送の準備（例えば野菜の収穫並びに梱包、及び配送先の記載等）を依頼する。
【０２０３】
これにより、遠隔地栽培システム１は、ユーザによる野菜の配送を簡便にすることができる。
【０２０４】
なお、本発明は、上記の実施形態に限定されず、種々の変形、応用が可能である。以下、本発明に適用可能な上記の実施形態の変形態様について、説明する。
【０２０５】
上記の実施形態において、制御部２４、制御部３４、及び制御部４４のＣＰＵが実行するプログラムは、予めＲＯＭ等に記憶されるものとして説明した。しかしながら、本発明はこれに限定されるものではなく、上記の処理を実行させるためのプログラムを、既存の汎用コンピュータに適用することで、上記の実施形態に係る制御部２４、制御部３４、及び制御部４４として機能させてもよい。
【０２０６】
このようなプログラムの提供方法は任意であり、例えばコンピュータが読取可能な記録媒体（フレキシブルディスク、ＣＤ（Compact Disc）−ＲＯＭ、ＤＶＤ（Digital Versatile Disc）−ＲＯＭ、及びフラッシュメモリ等）に格納して配布してもよいし、インターネット等のネットワーク上のストレージにプログラムを格納しておき、これをダウンロードさせることにより提供してもよい。
【０２０７】
さらに、上記の処理をＯＳ（Operating System）とアプリケーションプログラムとの分担、又はＯＳとアプリケーションプログラムとの協働によって実行する場合には、アプリケーションプログラムのみを記録媒体やストレージに格納してもよい。また、搬送波にプログラムを重畳し、ネットワークを介して配信することも可能である。例えば、ネットワーク上の掲示板（ＢＢＳ：Bulletin Board System）に上記プログラムを掲示し、ネットワークを介してプログラムを配信してもよい。そして、このプログラムを起動し、ＯＳの制御下で、他のアプリケーションプログラムと同様に実行することにより、上記の処理を実行できるように構成してもよい。
【０２０８】
上記の実施形態において、育成対象は、野菜等の農作物であるものとして説明したが、本発明はこれに限定されるものではなく、育成対象は任意であり、例えば、牛や、豚、鶏、馬、羊、魚等の動物であってもよく、蜂や蚕等の虫であってもよい。また、微生物であってもよい。
つまり、本発明において、育成対象は、農作物、花、茸、わかめ、昆布、等の植物のみならず、動物であっても良い。より具体的には、養殖魚・養殖貝等の魚貝類、昆虫（カブトムシ、クワガタ等）、微生物、家畜、ペット、マウス、その他の動物であってよい。更に、チーズ、ワイン、その他の酒、納豆、等の時間をかけて生成する加工食品でであっても良い。
それに応じて、本発明の区画とは、異なるユーザが育成対象を育成する場合（同一のユーザであっても、異なる作業依頼がされた場合）に、それぞれを区別可能なものであればどのようなものであっても良い。例えば、瓶、菌床、箱、柵、線等で、区別できる範囲が確定できるようなものであれば、どのようなものであっても良い。
【符号の説明】
【０２０９】
１  遠隔地栽培システム
２  ユーザ端末
３  サービス管理サーバ
４  農家端末
５  配送サーバ
６  ネットワーク
２１，３１  記憶部
２２，４２  タッチパネル
２３，３３，４３  通信部
２４，３４，４４  制御部
４０  カメラ
１００  ユーザ管理ＤＢ
２００  農地管理ＤＢ
【図１】
2018029617.tif 000003
【図２】
2018029617.tif 000004
【図３】
2018029617.tif 000005
【図４】
2018029617.tif 000006
【図５】
2018029617.tif 000007
【図６】
2018029617.tif 000008
【図７】
2018029617.tif 000009
【図８】
2018029617.tif 000010
【図９】
2018029617.tif 000011
【図１０】
2018029617.tif 000012
【図１１】
2018029617.tif 000013
【図１２】
2018029617.tif 000014
【図１３】
2018029617.tif 000015
【図１４】
2018029617.tif 000016
【図１５】
2018029617.tif 000017
【図１６】
2018029617.tif 000018
【図１７】
2018029617.tif 000019
【図１８】
2018029617.tif 000020
【図１９】
2018029617.tif 000021
【図２０】
2018029617.tif 000022
【図２１】
2018029617.tif 000023